(57)【要約】【課題】建材に対して簡易に取付可能な灯具の取付方法、灯具、および建築物を建設する方法を提供する。【解決手段】筒状部と、前記筒状部の上に設けられた電源ユニットとを有する電源アダプタの前記筒状部を、建材に形成された取付穴に嵌め込むとともに、前記電源ユニットを前記建材の裏側の空間に配置し、前記取付穴の面積よりも広い領域に配置された複数の光源を有する光源モジュールと、前記光源モジュールを覆う透光性のカバーとを有する灯具本体の裏面に設けられた嵌合アダプタを、前記取付穴に嵌め込まれた前記電源アダプタの前記筒状部の内側に嵌め込む。【選択図】図１０
2020107599.tif 000002
【特許請求の範囲】
【請求項１】
筒状部と、前記筒状部の上に設けられた電源ユニットとを有する電源アダプタの前記筒状部を、建材に形成された取付穴に嵌め込むとともに、前記電源ユニットを前記建材の裏側の空間に配置し、
前記取付穴の面積よりも広い領域に配置された複数の光源を有する光源モジュールと、前記光源モジュールを覆う透光性のカバーとを有する灯具本体の裏面に設けられた嵌合アダプタを、前記取付穴に嵌め込まれた前記電源アダプタの前記筒状部の内側に嵌め込む、灯具の取付方法。
【請求項２】
前記灯具本体の前記裏面に板ばねが設けられ、
前記板ばねを変形させつつ前記嵌合アダプタを前記電源アダプタの前記筒状部に嵌め込み、変形した前記板ばねの復元力により、前記灯具本体が前記建材の表面に押し付けられる請求項１記載の灯具の取付方法。
【請求項３】
筒状部と、前記筒状部の上に設けられた電源ユニットとを有する電源アダプタと、
前記筒状部の開口面積よりも広い領域に配置された複数の光源を有する光源モジュールと、前記光源モジュールを覆う透光性のカバーとを有する灯具本体と、
前記灯具本体の裏面に設けられ、前記筒状部の内側に嵌合可能な嵌合アダプタと、
を備えた灯具。
【請求項４】
前記灯具本体の前記裏面にネジで固定された板ばねをさらに備え、
前記板ばねの端部は、前記透光カバーの端部に結合し、
前記嵌合アダプタが前記電源アダプタの前記筒状部に嵌合した状態において、前記板ばねは前記ネジで固定された部分を支点にして変形する請求項３記載の灯具。
【請求項５】
前記板ばねの前記端部と結合した前記透光カバーの前記端部は、前記嵌合アダプタが前記電源アダプタの前記筒状部に嵌合していない状態の前記板ばねの裏面よりも突出している請求項４記載の灯具。
【請求項６】
前記カバーは、空間を隔てて前記光源に対向し可撓性を有する主面部を有し、
前記灯具本体は、前記光源が配置された光源配置面から前記カバーの前記主面部に向かって突出し、前記主面部との間に隙間をあけて前記空間内に配置された複数の凸部を有し、
前記複数の凸部は、前記光源配置面の面方向において前記嵌合アダプタを間に挟んで位置する少なくとも２つの凸部を有し、
前記凸部の前記光源配置面からの高さは、前記光源の前記光源配置面からの高さよりも大きい請求項３〜５のいずれか１つに記載の灯具。
【請求項７】
光源配置面と、前記光源配置面に配置された複数の光源と、空間を隔てて前記光源に対向し可撓性を有する主面部を有する透光性のカバーと、を有する灯具本体と、
前記灯具本体における前記光源配置面の反対側の裏面に設けられた嵌合アダプタと、
を備え、
前記灯具本体は、前記光源配置面から前記カバーの前記主面部に向かって突出し、前記主面部との間に隙間をあけて前記空間内に配置された複数の凸部を有し、
前記複数の凸部は、前記光源配置面の面方向において前記嵌合アダプタを間に挟んで位置する少なくとも２つの凸部を有し、
前記凸部の前記光源配置面からの高さは、前記光源の前記光源配置面からの高さよりも大きい灯具。
【請求項８】
前記凸部は、透光性材料からなる請求項６または７に記載の灯具。
【請求項９】
前記灯具本体において前記嵌合アダプタに重なる領域にも前記光源が配置されている請求項３〜８のいずれか１つに記載の灯具。
【請求項１０】
前記光源は、バットウイング形の配光特性をもつ請求項３〜９のいずれか１つに記載の灯具。
【請求項１１】
請求項７記載の灯具を準備する工程、
環状の取付金具を、建材に形成された取付穴に嵌め込む工程、
前記灯具における前記カバーの前記主面部の裏面を前記凸部に押し当てつつ、前記嵌合アダプタを前記取付穴に嵌め込まれた前記取付金具の内側に嵌め込む工程、
を備える灯具の取付方法。
【請求項１２】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記天井材に設けられた開口を介して、形成された天井の上方にある天井裏空間に配された前記コネクタ付き配線と、電源アダプタとを、前記コネクタ付き配線のコネクタにより接続する工程と、
形成された天井の下方にある居室空間において用意された前記軽量大型照明灯具と、前記電源アダプタと、を電気的に接続する工程と、
前記コネクタ付き配線と電気的に接続された前記電源アダプタが有する留め具及び筒状部を前記天井材の開口に通して、前記電源アダプタを前記天井材に設置する工程と、
前記天井材に設置された前記電源アダプタの前記筒状部に、前記コネクタ付き配線と電気的に接続された前記軽量大型照明灯具の取付アダプタを押し込み、前記軽量大型照明灯具を前記天井材に設置する工程と、
を有する方法。
【発明の詳細な説明】
【技術分野】
【０００１】
本発明は、灯具の取付方法、灯具、および建築物を建設する方法に関する。
【背景技術】
【０００２】
例えばスクエア型の照明装置を天井に設置する方法として、照明本体の形状およびサイズに合わせた角穴を天井にあけ、天井構成部材である吊りボルトに照明本体を固定する方法が行われている。
【先行技術文献】
【特許文献】
【０００３】
【特許文献１】特開２０１４−１３５１５１号公報
【特許文献２】特開２０１６−０２１２９６号公報
【特許文献３】特開２０１５−０２２９３２号公報
【特許文献４】特開２０１６−０５４１２２号公報
【特許文献５】特許第６０６３９２６号公報
【特許文献６】特開２０１３−１３４９５６号公報
【発明の概要】
【発明が解決しようとする課題】
【０００４】
本発明は、建材に対して簡易に取付可能な灯具の取付方法、灯具、および建築物を建設する方法を提供する。
【課題を解決するための手段】
【０００５】
本発明の一態様によれば、筒状部と、前記筒状部の上に設けられた電源ユニットとを有する電源アダプタの前記筒状部を、建材に形成された取付穴に嵌め込むとともに、前記電源ユニットを前記建材の裏側の空間に配置し、前記取付穴の面積よりも広い領域に配置された複数の光源を有する光源モジュールと、前記光源モジュールを覆う透光性のカバーとを有する灯具本体の裏面に設けられた嵌合アダプタを、前記取付穴に嵌め込まれた前記電源アダプタの前記筒状部の内側に嵌め込む、灯具の取付方法が提供される。
また、本発明の他の態様によれば、光源配置面と、前記光源配置面に配置された複数の光源と、空間を隔てて前記光源に対向し可撓性を有する主面部を有する透光性のカバーと、を有する灯具本体と、前記灯具本体における前記光源配置面の反対側の裏面に設けられた嵌合アダプタと、を備え、前記灯具本体は、前記光源配置面から前記カバーの前記主面部に向かって突出し、前記主面部との間に隙間をあけて前記空間内に配置された複数の凸部を有し、前記複数の凸部は、前記光源配置面の面方向において前記嵌合アダプタを間に挟んで位置する少なくとも２つの凸部を有し、前記凸部の前記光源配置面からの高さは、前記光源の前記光源配置面からの高さよりも大きい灯具が提供される。また、前記灯具を準備する工程、環状の取付金具を、建材に形成された取付穴に嵌め込む工程、前記灯具における前記カバーの前記主面部の裏面を前記凸部に押し当てつつ、前記嵌合アダプタを前記取付穴に嵌め込まれた前記取付金具の内側に嵌め込む工程、を備える灯具の取付方法が提供される。
【発明の効果】
【０００６】
本発明によれば、建材に対して簡易に取付可能な灯具の取付方法、灯具、および建築物を建設する方法を提供することができる。
【図面の簡単な説明】
【０００７】
【図１】第１実施形態の灯具本体および嵌合アダプタの側面図である。
【図２】第１実施形態の灯具本体の正面図である。
【図３】第１実施形態の灯具本体および嵌合アダプタの背面図である。
【図４】第１及び第２実施形態の光源モジュールおよびカバーの模式断面図である。
【図５】第１実施形態の光源モジュールの正面図である。
【図６】第１及び第２実施形態の光源の配光特性図である。
【図７】第１実施形態の電源アダプタの側面図である。
【図８】第１実施形態の灯具の建材への取付方法を説明するための模式断面図である。
【図９】第１実施形態の灯具の建材への取付方法を説明するための模式断面図である。
【図１０】第１実施形態の灯具の建材への取付方法を説明するための模式断面図である。
【図１１】第１実施形態の灯具の建材への取付方法を説明するための模式断面図である。
【図１２】第１実施形態の灯具の建材への取付方法を説明するための模式断面図である。
【図１３】第１実施形態の灯具の建材への取付方法を説明するための模式断面図である。
【図１４】第２実施形態の灯具が天井材に取り付けられた状態を表す側面図である。
【図１５】第２実施形態の灯具における主発光面側の平面図である。
【図１６】図１４に示す要素のうち天井材の裏側に位置する要素の斜視図である。
【図１７】第２実施形態の灯具の裏面の斜視図である。
【図１８】第２実施形態の灯具の模式断面図である。
【図１９】第２実施形態の取付金具の斜視図である。
【図２０】天井材の取付穴に嵌め込まれた第２実施形態の取付金具の上面図である。
【図２１】天井材の取付穴に嵌め込まれた第２実施形態の取付金具の下面図である。
【図２２】第２実施形態の取付金具と嵌合アダプタとの嵌合構造を表す斜視図である。
【図２３】第２実施形態の取付金具と嵌合アダプタとの嵌合構造を表す断面斜視図である。
【図２４】第２実施形態の灯具の取付方法を示す模式断面図である。
【図２５】第２実施形態の嵌合アダプタと取外し部材との連結構造を表す斜視図である。
【図２６】第２実施形態の嵌合アダプタと取外し部材との連結構造を表す斜視図である。
【図２７】第１及び第２実施形態の光源モジュールの正面図である。
【図２８】建築物が建設されるまでの工程における照明設置の流れを説明するためのフロー図である。
【図２９】第３実施形態に係る建築物の居室の構造の一例を記した模式図である。
【図３０】第３実施形態に係る建築物の建設における天井裏空間の構造を示す図である。
【図３１】第３実施形態に係る照明灯具の設置方法を説明するための図である。
【図３２】第３実施形態に係る照明灯具の設置方法を説明するための図である。
【図３３】図３３は、第３実施形態に係る照明灯具の設置方法の他の一例を説明するための図である。
【発明を実施するための形態】
【０００８】
以下、図面を参照し、実施形態について説明する。なお、各図面中、同じ要素には同じ符号を付している。
【０００９】
図１は、第１実施形態の灯具本体１０および嵌合アダプタ４０の側面図である。
図２は、灯具本体１０の正面図である。
図３は、灯具本体１０および嵌合アダプタ４０の背面図である。
【００１０】
灯具本体１０は、ベースプレート１１と、透光性のカバー３０とを有する。カバー３０は、図２に示すように、四角形状の主発光面（または主面部）３１を有する。
【００１１】
ベースプレート１１の裏面に、嵌合アダプタ４０が設けられている。嵌合アダプタ４０は、ベースプレート１１の裏面に固定されている。嵌合アダプタ４０には、ＤＣ（直流）入力コネクタ４５が接続されている。
【００１２】
図３に示すように、ベースプレート１１の裏面に、板ばね１５が設けられている。例えば矩形状または帯板状の２つの板ばね１５がベースプレート１１の裏面に設けられている。板ばね１５は、例えばガラス含有の樹脂部材である。それぞれの板ばね１５は、２つのネジ１６でベースプレート１１の裏面に固定されている。２つのネジ１６は、板ばね１５の長手方向の中心を挟んで長手方向に離間している。
【００１３】
２つの板ばね１５は、四角形状のベースプレート１１の一辺に沿って、互いに平行に延在している。２つの板ばね１５は、延在方向に直交する方向に互いに離間し、ベースプレート１１の中央部に設けられた嵌合アダプタ４０に対して対称配置されている。また、ベースプレート１１の裏面には、外縁部に沿ってクッション材１８が設けられている。
【００１４】
灯具本体１０は、さらに光源モジュール２０を有する。
図４は、光源モジュール２０およびカバー３０の模式断面図である。
図５は、光源モジュール２０の正面図である。
図２７は、光源モジュール２０の他の例の正面図である。
【００１５】
光源モジュール２０はベースプレート１１の一方の面に取り付けられ、カバー３０は光源モジュール２０を覆うようにベースプレート１１に取り付けられる。カバー３０の主面部３１は、空間７０を隔てて光源モジュール２０に対向している。また、カバー３０の側面部は空間７０の側方を覆っている。ベースプレート１１は、例えば金属板であり、光源モジュール２０の補強板および放熱板として機能する。
【００１６】
光源モジュール２０は、基板２１と、複数の光源２２とを有する。基板２１は、光源配置面２１ａと、光源配置面２１ａの反対側の裏面２１ｂとを有する。複数の光源２２が、基板２１の光源配置面２１ａに周期配列されている。図５及び図２７に示す例では、複数の光源２２は、等ピッチで格子配列されている。
【００１７】
基板２１は、例えば樹脂またはセラミックの絶縁性基板であり、その光源配置面２１ａに導体パターンが形成されている。光源２２は、例えばＬＥＤ（Light Emitting Diode）等の発光素子２３と、蛍光体層２４と、樹脂部材２５とを含む。発光素子２３は、基板２１の光源配置面２１ａに実装され、発光素子２３の電極は基板２１に形成された導体パターンと電気的に接続されている。
【００１８】
蛍光体層２４は発光素子２３を覆い、さらに樹脂部材２５が蛍光体層２４を覆っている。樹脂部材２５において発光素子２３の上面の中心付近を覆う部分が凹んでおり、このような形状の樹脂部材２５は、光源２２にバットウイング形の配光特性を与えるレンズとして機能する。
【００１９】
図６は、バットウイング形の配光特性の一例を示す図である。横軸は光源２２から出射される光の出射角を表し、光源２２が配置される光源配置面に対して垂直な方向を０°としている。縦軸は光源２２から出射される光の強度を表す。
【００２０】
バットウイング形の配光特性とは、出射角が０°から−９０°の範囲の領域に、出射角が０°のときの強度よりも大きい第１の強度ピークを有し、出射角が０°から９０°の範囲の領域に、出射角が０°のときの強度よりも大きい第２の強度ピークを有する配光特性である。
【００２１】
光源２２はバットウイング形の配光特性をもつため、灯具本体１０の薄型化にともない光源２２とカバー３０との間の距離が短い場合でも、輝度ムラの少ない均一発光面が得られる。また、カバー３０の主面部（主発光面）３１を視界に入れた人が光源２２を点状にまぶしく感じにくくできる。
【００２２】
カバー３０は、光源２２が発する光に対する透光性を有する。カバー３０は、例えば樹脂材に酸化チタン等を分散させた光拡散性を有する乳白色に形成されている。カバー３０は可撓性を有する。
【００２３】
第１実施形態の灯具は、前述した灯具本体１０および嵌合アダプタ４０に加えて、電源アダプタ５０を有する。  
図７は、電源アダプタ５０の側面図である。
【００２４】
電源アダプタ５０は、筒状部５１と、筒状部５１の上に設けられた電源ユニット５２とを有する。筒状部５１の側面には、板ばね構造の複数の取付ばね５３が設けられている。
【００２５】
電源ユニット５２は、ケーシング５７の内部に電源を内蔵する。ケーシング５７の上面には、ＡＣ（交流）入力端子台５４と、調光端子台５５が設けられている。ＡＣ入力端子台５４にはＤＣケーブル５６が接続され、ＤＣケーブル５６はケーシング５７の内側および筒状部５１の内側を貫通している。
【００２６】
以上説明した第１実施形態の灯具は、天井材や壁材などの建材に着脱自在に取り付けられる。以下、図８〜図１３を参照して、例えば天井材に灯具を取り付ける例を説明する。
【００２７】
図８および図１１は、電源アダプタ５０が天井材３００に取り付けられ、嵌合アダプタ４０および灯具本体１０は天井材３００に取り付けられていない状態を表す。
【００２８】
電源アダプタ５０の筒状部５１は円筒状に形成され、天井材３００には円形状の取付穴３００ａが形成されている。電源アダプタ５０の筒状部５１は、天井材３００に形成された取付穴３００ａに嵌め込まれる。筒状部５１の側面と取付穴３００ａの内壁との間に、取付ばね５３が自然状態から変形した状態で配置される。この取付ばね５３の復元力により、筒状部５１が取付穴３００ａに嵌合した状態が保持される。
【００２９】
筒状部５１の下端開口の外周側に設けられたフランジ５８の裏面が、取付穴３００ａの近傍の天井面に当接する。筒状部５１はフランジ５８よりも後方（上方）に延在し、筒状部５１の上に設けられた電源ユニット５２は、天井材３００の裏側の空間に配置される。電源ユニット５２は、天井材３００の下方の空間に突出していない。
【００３０】
図８に示すように、灯具本体１０において、板ばね１５の長手方向の端部１５ａが、カバー３０の端部３３に差し込まれるようにして結合している。カバー３０の端部３３は、主面部３１から裏側に折り返された側面部３２の先端に設けられている。
【００３１】
灯具本体１０および嵌合アダプタ４０が電源アダプタ５０に取り付けられていない状態において、板ばね１５の端部１５ａと結合したカバー３０の端部３３は、板ばね１５の裏面よりも突出している。この状態において、板ばね１５はほぼフラットであり、自然状態または概ね自然状態となっている。
【００３２】
また、図１１に示すように、嵌合アダプタ４０は、ケース４１と、ケース４１内に設けられた２つのスライド部材４２と、２つのスライド部材４２を連結するばね４３とを有する。それぞれのスライド部材４２の先端には、傾斜面をもつ爪部４２ａが設けられている。ばね４３の伸縮に伴う２つのスライド部材４２のスライド移動により、爪部４２ａはケース４１の側面に形成された貫通孔４４（図１２に図示）を通じてケース４１の内側に引っ込んだり、ケース４１の外側に突出することが可能となっている。ばね４３が自然状態のとき、図１１に示すように、爪部４２ａはケース４１の外側に突出している。
【００３３】
電源アダプタ５０の筒状部５１の内側には、板状の嵌合部材６１が設けられている。嵌合部材６１には嵌合穴６１ａが形成されている。嵌合穴６１ａの直径は、筒状部５１の内径よりも小さく、嵌合アダプタ４０のケース４１の外径よりも大きい。
【００３４】
灯具本体１０の裏面に設けられた嵌合アダプタ４０を、天井材３００の取付穴３００ａに嵌め込まれた電源アダプタ５０の筒状部５１の内側に嵌め込むことで、灯具本体１０は天井材３００に対して取り付けられる。
【００３５】
図１２に示すように、嵌合アダプタ４０のケース４１を、電源アダプタ５０の嵌合部材６１に形成された嵌合穴６１ａに嵌め込むときに、嵌合穴６１ａの内壁に爪部４２ａの傾斜面が当接する。嵌合アダプタ４０を筒状部５１のさらに奥側に押し込む動作にともなって、爪部４２ａが嵌合穴６１ａの内壁から受ける力により、２つのスライド部材４２はばね４３を圧縮させて互いに近づくようにスライド移動する。爪部４２ａはケース４１の内側に引っ込み、嵌合アダプタ４０のさらなる押し込み動作を許容する。
【００３６】
そして、爪部４２ａが嵌合部材６１よりも上方の位置まで移動すると、爪部４２ａが嵌合穴６１ａの内壁から受ける力が解除され、ばね４３の復元力により２つのスライド部材４２は互いに離間する方向に付勢される。爪部４２ａはケース４１の外側に突出し、図１３に示すように、爪部４２ａの下面が嵌合穴６１ａの近傍の嵌合部材６１の上面に乗り上げることで、嵌合アダプタ４０、および嵌合アダプタ４０と固定された灯具本体１０の、電源アダプタ５０からの落下が防止される。
【００３７】
嵌合アダプタ４０を電源アダプタ５０に嵌合させる前に、図１および図３に示す嵌合アダプタ４０側のＤＣ（直流）入力コネクタ４５を、図７に示す電源アダプタ５０側のＤＣケーブル５６に接続する。これにより、商用電源から、電源ユニット５０を介して、光源２２に電力が供給される。商用電源の交流電力は、電源ユニット５０によって直流電力に変換され、光源２２に供給される。
【００３８】
上述した嵌合アダプタ４０を電源アダプタ５０に嵌合させるときに、灯具本体１０の裏面に設けられた板ばね１５は弾性変形をともなう。
【００３９】
図９は、嵌合アダプタ４０を電源アダプタ５０の嵌合穴６１ａに押し込んでいる途中の状態を表す。前述したように、板ばね１５の端部１５ａと結合したカバー３０の端部３３は、板ばね１５の裏面よりも突出しているため、灯具本体１０を天井面に近づけていくと、板ばね１５の裏面よりも先にカバー３０の端部３３が天井面に当たる。このとき、板ばね１５はまだフラットな状態であり、板ばね１５の裏面と天井面との間には隙間があいている。この状態から、板ばね１５を変形させつつ、嵌合アダプタ４０を電源アダプタ５０の嵌合穴６１ａに対して完全に嵌め込むことで、変形した板ばね１５の復元力により、灯具本体１０が天井面に押し付けられる。
【００４０】
すなわち、図９の状態から、嵌合アダプタ４０を電源アダプタ５０の筒状部５１のさらに奥側に押し込むと、図１０に示すように、板ばね１５は、ベースプレート１１にネジ１６で固定された部分を支点にして変形する。図１０は、嵌合アダプタ４０が電源アダプタ５０の嵌合部材６１に対して完全に嵌合した状態を示す。この状態において、板ばね１５におけるネジ１６で固定された部分の裏面が天井面に当接し、板ばね１５における端部１５ａ側の部分がネジ１６を支点にして下方に下がるように反る。したがって、板ばね１５の端部１５ａ側の部分にはフラットな状態に戻ろうとする復元力が働き、板ばね１５の端部１５ａと結合されたカバー３０の端部３３が天井面に押し付けられる方向に付勢される。
【００４１】
灯具本体１０の平面サイズが大きくなると、電源アダプタ５０に対して嵌合アダプタ４０によって直接保持された中央部に比べて、端部が自重で下方に下がりやすくなる。本実施形態によれば、板ばね１５の復元力によって、大面積の灯具本体１０であってもカバー３０の端部３３を天井面に密着させることができる。これは、灯具本体１０の裏側（天井面との間の隙間）への異物の侵入を抑制する。
【００４２】
なお、灯具本体１０が電源アダプタ５０に取り付けられた状態において、図３に示すベースプレート１１の裏面の外縁部に設けられたクッション材１８が、ベースプレート１１と天井面との間でそれら両者に密着し、灯具本体１０の外縁部における隙間の発生が抑制される。上記板ばね１５の復元力は、クッション材１８の天井面への密着性も高める。
【００４３】
図１０および図１３に示すように、灯具本体１０が嵌合アダプタ４０を介して、天井材３００に嵌め込まれた電源アダプタ５０に取り付けられた状態において、カバー３０の主面部３１は天井面に略平行となり、天井面の下方の空間に向けられる。
【００４４】
または、実施形態の灯具は、上記天井材に対する取付方法と同様の方法で、壁材に対しても取り付けることができる。灯具本体１０が壁材に取り付けられると、カバー３０の主面部３１は壁面に略平行となり、壁面の側方空間に向けられる。
【００４５】
また、光源モジュール２０における複数の光源２２は、天井材３００に形成された取付穴３００ａの面積および電源アダプタ５０の筒状部５１の開口面積よりも広い領域にわたって配置され、灯具本体１０において嵌合アダプタ４０に重なる領域にも光源２２が配置されている。このため、主面部（主発光面）３１において、取付穴１００ａおよび嵌合アダプタ４０に重なる領域である中央部も光らせることができ、広い面積にわたって発光面が得られる。
【００４６】
以上説明した第１実施形態によれば、灯具本体１０の形状およびサイズに合わせた角穴を建材にあけなくてもよく、建材への施工は、灯具本体１０のサイズよりも小さく、電源アダプタ５０のサイズに合わせた取付穴を１つあけるだけでよい。その取付穴に対しては、取付ばね５３を利用してワンタッチで電源アダプタ５０を簡単に着脱することができる。さらに、電源アダプタ５０に対して嵌合アダプタ４０を着脱することで、灯具本体１０をワンタッチで建材に対して着脱することができる。このような第１実施形態によれば、灯具を建材に取り付けるにあたっての施工工数を大幅に減らすことができる。
【００４７】
また、多品種の灯具本体１０を、これらに共通の電源アダプタ５０に対してワンタッチで簡単に着脱できるため、手間をかけずに他種の灯具本体１０への変更が可能となる。この灯具本体１０の変更に際して、共通の電源アダプタ５０は建材から外す必要がなく、灯具本体１０のみを嵌合アダプタ４０を介して電源アダプタ５０に対して着脱すればよい。
【００４８】
次に、本発明の第２実施形態について説明する。
【００４９】
図１４は、第２実施形態の灯具１００が、建材である例えば天井材３００に取り付けられた状態を表す側面図である。
図１５は、天井材３００に取り付けられた灯具１００の主発光面側の平面図である。
図１６は、図１４に示す要素のうち天井材３００の裏側に位置する要素の斜視図である。
図１７は、灯具１００の裏面の斜視図である。
図１８は、灯具１００の模式断面図である。
【００５０】
灯具１００は、灯具本体１１０と、嵌合アダプタ１４０とを有する。灯具本体１１０は金属板１１１を有する。図１７に示すように、金属板１１１の裏面に、嵌合アダプタ１４０が設けられている。嵌合アダプタ１４０は、金属板１１１の裏面に例えばねじで固定されている。嵌合アダプタ１４０は例えば円錐台形状に形成されている。嵌合アダプタ１４０の上面に、例えばソケット構造の灯具側コネクタ１４３が固定されている。
【００５１】
金属板１１１の裏面には、灯具本体１１０を補強する金属ステー１１４が設けられている。例えば２つの金属ステー１１４が、四角形状の金属板１１１の一辺に沿って延在している。２つの金属ステー１１４は、その延在方向に直交する方向に互いに離間し、金属板１１１の中央部に設けられた嵌合アダプタ１４０に対して対称配置されている。また、金属板１１１の裏面には、クッション材１１３が設けられている。
【００５２】
灯具本体１１０は、さらに、光源モジュール２０と透光性のカバー１３０とを有する。光源モジュール２０は、図４〜図６、図２７に示すように第１実施形態の光源モジュール２０と同様の構成および特性を有する。第２実施形態の光源モジュール２０は金属板１１１の裏面の反対側の面に取り付けられ、カバー１３０は光源モジュール２０を覆うように金属板１１１に取り付けられる。金属板１１１は、光源モジュール２０の補強板および放熱板として機能する。
【００５３】
第１実施形態と同様、光源モジュール２０の発光素子２３は、基板２１の光源配置面２１ａに実装され、発光素子２３の電極は基板２１に形成された導体パターンと電気的に接続されている。また、基板２１に形成された導体パターンは、第２実施形態の嵌合アダプタ１４０の上面に設けられた灯具側コネクタ１４３と電気接続している。
【００５４】
カバー３０は、光源２２が発する光に対する透光性を有する。カバー３０は、例えば樹脂材に酸化チタン等を分散させた光拡散性を有する乳白色に形成されている。カバー３０は可撓性を有する。
【００５５】
図１８に示すように、カバー１３０は、主面部１３１と側面部１３２とを有する。主面部１３１は、空間１７０を隔てて光源２２に対向している。側面部１３２は、主面部１３１の端部に連続して設けられ、空間１７０の側方を覆っている。
【００５６】
灯具本体１１０は、複数の凸部１８１を有する。凸部１８１は、光源配置面２１ａからカバー１３０の主面部１３１に向かって突出し、主面部１３１との間に隙間をあけて空間１７０内に配置されている。
【００５７】
凸部１８１の光源配置面２１ａからの高さは、光源２２の光源配置面２１ａからの高さよりも大きい。
【００５８】
図２７に示すように、複数の凸部１８１は、光源配置面２１ａの面方向において嵌合アダプタ１４０の配置箇所（破線で表す）を間に挟んで位置する少なくとも２つの凸部１８１を有する。図２７に示す例では、４つの凸部１８１が嵌合アダプタ１４０の配置箇所の周囲に設けられている。
【００５９】
光源配置面２１ａの辺に沿って隣り合う凸部１８１間の距離は等しい。嵌合アダプタ１４０の中心と、それぞれの凸部１８１との間の距離は等しい。嵌合アダプタ１４０の中心とそれぞれの凸部１８１との間の距離は、光源配置面２１ａの角とそれぞれの凸部１８１との間の距離よりも短い。嵌合アダプタ１４０の中心とそれぞれの凸部１８１との間の距離は、光源配置面２１ａの辺とそれぞれの凸部１８１との間の最短距離よりも短い。
【００６０】
凸部１８１は、透光性材料からなり、例えば乳白色または半透明である。凸部１８１は、例えば樹脂材料からなる。また、凸部１８１はカバー１３０の主面部１３１に接していない。したがって、カバー１３０を外側から見た人にとって、凸部１８１は影にならない。凸部１８１は、発光特性に影響しない。
【００６１】
第２実施形態の灯具１００は、取付金具１６０によって、天井材３００に取り付けられる。図１９は、取付金具１６０の斜視図である。
【００６２】
取付金具１６０は環状に形成され、その内側に開口１６４を有する。取付金具１６０の側面には、板ばね構造の複数の取付ばね１６３が設けられている。取付金具１６０の下面には、環状のフランジ１６１が設けられている。フランジ１６１の外径は、天井材３００に形成された円形の取付穴の直径よりも大きい。フランジ１６１の上面には、開口１６４の縁に沿って受け板１６２が設けられている。
【００６３】
取付金具１６０は、天井材３００に形成された取付穴３００ａに嵌め込まれる。
【００６４】
図２０は、天井材３００の取付穴３００ａに嵌め込まれた取付金具１６０の上面図である。図２０は、天井材３００の裏側を表す。
図２１は、天井材３００の取付穴３００ａに嵌め込まれた取付金具１６０の下面図である。図２１は、照明対象空間に面する天井材３００の表側を表す。
【００６５】
取付金具１６０の側面と取付穴３００ａの内壁との間に、取付ばね１６３が自然状態から変形した状態で配置される。この取付ばね１６３の復元力により、取付金具１６０は上方に付勢され、フランジ１６１の上面が天井材３００の表側の面に押し当たることで（図２３参照）、取付金具１６０が取付穴３００ａに嵌合した状態が保持される。
【００６６】
取付金具１６０を天井材３００の取付穴３００ａに嵌め込む前に、必要に応じて、天井材３００の裏側に、図１６に示す電源ユニット１５０が配置される。電源ユニット１５０は、取付穴３００ａから天井材３００の裏側に通され、天井材３００の裏側において取付穴３００ａに重ならない位置に配置される。
【００６７】
または、既に天井材３００の裏側に設置済みの電源ユニット１５０をそのまま使う場合には、電源ユニット１５０を天井材３００の裏側に設置する作業は不要となる。
【００６８】
図１６に示すように、電源ユニット１５０は、外部電源（商用電源）と接続可能な端子台１５２、１５３を有する。電源ユニット１５０からは電気ケーブル１５１が導出されている。端子台１５２、１５３の端子は、電源ユニット１５０の回路基板に電気接続され、その回路基板に電気ケーブル１５１が電気接続されている。電気ケーブル１５１の端部には、電源側コネクタ１５１ａが設けられている。
【００６９】
灯具本体１１０が天井材３００に取り付けられる前の状態において、電気ケーブル１５１は、天井材３００の取付穴３００ａ、およびその取付穴３００ａに嵌め込まれた取付金具１６０の内側の開口１６４を通され、電源側コネクタ１５１ａが天井材３００の表側に位置する。
【００７０】
灯具１００の取付作業を行う作業者は、灯具１００を天井材３００に近づけ、灯具１００を片手で保持しつつ、もう一方の手で、取付穴３００ａから垂下する電気ケーブル１５１の電源側コネクタ１５１ａをつかんで、灯具本体１１０の裏面に設けられた嵌合アダプタ１４０の上面に固定された灯具側コネクタ１４３に電源側コネクタ１５１ａを接続する。
【００７１】
電源側コネクタ１５１ａを灯具側コネクタ１４３に接続した後、嵌合アダプタ１４０を、天井材３００の取付穴３００ａに嵌め込まれた取付金具１６０の内側の開口１６４に嵌め込む。
【００７２】
図２２は、取付金具１６０と嵌合アダプタ１４０との嵌合構造を表す斜視図である。
図２３は、取付金具１６０と嵌合アダプタ１４０との嵌合構造を表す断面斜視図である。
【００７３】
嵌合アダプタ１４０は、上ケース１４１と、下ケース１４２と、２つのスライド部材１４５と、２つのスライド部材１４５を連結するばね１４７とを有する。
【００７４】
それぞれのスライド部材１４５の先端には、傾斜面をもつ爪部１４４が設けられている。ばね１４７の伸縮に伴う２つのスライド部材１４５のスライド移動により、爪部１４４は上ケース１４１と下ケース１４２との間に形成された開口を通じてケース１４１、１４２の内側に引っ込んだり、ケース１４１、１４２の外側に突出することが可能となっている。
【００７５】
図２２および図２３は、爪部１４４がケース１４１、１４２の外側に突出して、取付金具１６０の受け板１６２の上面に乗り上がった状態を示す。図２３に示すように、上ケース１４１から下方に突出するストッパー１４１ａがスライド部材１４５の上面に形成された凹部１４６内に位置し、ストッパー１４１ａと凹部１４６の壁面との当接により、２つのスライド部材１４５の互いに離間する方向への移動が規制される。
【００７６】
通常、爪部１４４はケース１４１、１４２の外側に突出している。嵌合アダプタ１４０を取付金具１６０の内側に嵌め込むときに、取付金具１６０のフランジ１６１の内周壁および受け板１６２の内周壁に、爪部１４４の傾斜面を当接させる。爪部１４４がフランジ１６１の内周壁および受け板１６２の内周壁から受ける力により、２つのスライド部材１４５はばね１４７を圧縮させて互いに近づくようにスライド移動する。爪部１４４はケース１４１、１４２の内側に引っ込み、取付金具１６０の内側への嵌合アダプタ１４０の嵌め込みを許容する。
【００７７】
そして、爪部１４４が受け板１６２よりも上方の位置まで移動すると、爪部１４４が受け板１６２の内周壁から受ける力が解除され、ばね１４７の復元力により２つのスライド部材１４５は互いに離間する方向に付勢される。爪部１４４はケース１４１、１４２の外側に突出し、爪部１４４の下面が受け板１６２の上面に乗り上げる。これにより、嵌合アダプタ１４０、および嵌合アダプタ１４０と固定された灯具本体１１０の、取付金具１６０からの落下が防止される。
【００７８】
嵌合アダプタ１４０が取付金具１６０に嵌合した状態において、図１７に示す金属板１１１の裏面に設けられたクッション材１１３が、天井材３００の表側の面に密着する。図１４に示すように、カバー１３０の主面部１３１は天井材３００の表側の面に平行となり、天井材３００の下方の空間に向けられる。
【００７９】
または、第２実施形態の灯具１００は、天井材３００に対する取付方法と同様の方法で、壁材に対しても取り付けることができる。灯具１００が壁材に取り付けられると、カバー１３０の主面部１３１は壁面に平行となり、壁材の側方空間に向けられる。
【００８０】
光源モジュール２０における複数の光源２２は、天井材３００の取付穴３００ａの面積および取付金具１６０の開口１６４の面積よりも広い領域にわたって配置され、灯具本体１１０において嵌合アダプタ１４０に重なる領域にも光源２２が配置されている。このため、主面部（主発光面）１３１において、取付穴３００ａおよび嵌合アダプタ１４０に重なる領域である中央部も光らせることができ、広い面積にわたって発光面が得られる。
【００８１】
また、嵌合アダプタ１４０が取付金具１６０に嵌合した状態において、図１６に示すように、嵌合アダプタ１４０の上面、および電源側コネクタ１５１ａと灯具側コネクタ１４３との接続部は、天井材３００裏側の空間に露出する。嵌合アダプタ１４０はその上面を天井材３００裏側の空間に露出させ、取付金具１６０に固定される。電源ユニット１５０は、嵌合アダプタ１４０に重ならない位置に配置され、嵌合アダプタ１４０を覆っていない。このため、光源モジュール２０で発生した熱を、嵌合アダプタ１４０を通じて、天井材３００の裏側の空間に放熱することができる。
【００８２】
作業者は、カバー１３０の主面部１３１の表側の面における中央部（嵌合アダプタ１４０の配置箇所）を手で押し上げつつ、嵌合アダプタ１４０を取付金具１６０の内側に嵌め込む。
【００８３】
このとき、図２４に示すように、カバー１３０の主面部１３１の中央部が嵌合アダプタ１４０側に向かってくぼむように撓み、主面部１３１の裏面が突起１８１に当たる。主面部１３１に加えられた荷重は凸部１８１を通じて嵌合アダプタ１４０に加わり、嵌合アダプタ１４０を取付金具１６０に嵌め込むことができる。図２７に示すように、複数の凸部１８１が嵌合アダプタ１４０の周囲に均等配置されているため、嵌合アダプタ１４０に対して偏り無く均等に荷重を加えることができ、容易に嵌合アダプタ１４０を取付金具１６０に嵌め込むことができる。
【００８４】
カバー１３０の主面部１３１が押されたとき、凸部１８１がストッパーとなって主面部１３１のそれ以上の変位が規制され、主面部１３１は光源２２に当たらない。したがって、カバー１３０および光源２２の破損を防ぐことができる。
【００８５】
第１実施形態についても、図２７に示すように、例えば４つの凸部１８１が嵌合アダプタ４０の配置箇所の周囲に設けられている。このため、図１２〜図１３に示す嵌合アダプタ４０を電源アダプタ５０に嵌め込むときに、カバー３０の主面部３１の裏面が凸部１８１に当たる。主面部３１に加えられた荷重は凸部１８１を通じて嵌合アダプタ４０に加わり、嵌合アダプタ４０を電源アダプタ５０に嵌め込むことができる。また、凸部１８１によって、カバー３０と光源２２との衝突によるそれらの破損を防ぐことができる。
【００８６】
次に、天井材３００からの灯具１００の取外し方法について説明する。
【００８７】
図１７に示すように、金属板１１１の裏面には、取外し部材１１２が設けられている。取外し部材１１２の一端部１１２ｃは灯具本体１１０の側面に露出し、灯具本体１１０が天井材３００に取り付けられた状態において作業者は取外し部材１１２の一端部１１２ｃを指または治具でつかむことができる。取外し部材１１２の他端部は、嵌合アダプタ１４０のスライド部材１４５に連結されている。
【００８８】
図２５および図２６は、嵌合アダプタ１４０と取外し部材１１２との連結構造を表す斜視図である。
図２５は、嵌合アダプタ１４０の上ケース１４１を取り外した状態を示す。
図２６は、図２５においてさらに下ケース１４２も取り外し、取外し部材１１２とスライド部材１４５との連結構造を裏側から見た斜視図である。
【００８９】
取外し部材１１２とスライド部材１４５とは、２つのアーム部材１４８を介して連結されている。それぞれのアーム部材１４８は、下ケース１４２に設けられた軸部１４２ａを支点に回動することができる。
【００９０】
それぞれのアーム部材１４８の一端部には貫通孔１４８ａが形成され、その貫通孔１４８ａ内に、取外し部材１１２の他端に設けられたピン１１２ａが係合している。
【００９１】
取外し部材１１２には長穴１１２ｂが形成され、その長穴１１２ｂ内にねじ１１５が位置している。ねじ１１５は、金属板１１１に取り付けられている。作業者が取外し部材１１２の一端部１１２ｃを例えば治具で引っ張ることで、取外し部材１１２の長手方向に沿って取外し部材１１２をスライドさせることができる。このとき、長穴１１２ｂの内壁とねじ１１５との当接によって、取外し部材１１２のスライド移動がガイドされる。
【００９２】
取外し部材１１２の一端部１１２ｃが灯具本体１１０からはみ出す方向に取外し部材１１２を引っ張ると、取外し部材１１２のピン１１２ａに係合している一対のアーム部材１４８が軸部１４２ａを支点に回動する。このアーム部材１４８の回動により、図２６に示すアーム部材１４８の他端部１４８ｂが、スライド部材１４５の下面に設けられた突出部１４９を押す。これにより、２つのスライド部材１４５は、ばね１４７を圧縮させて互いに近づく方向にスライド移動する。
【００９３】
このスライド部材１４５のスライド移動により、爪部１４４が、図２３に示す取付金具１６０の受け板１６２に乗り上げた状態が解除され、嵌合アダプタ１４０が取付金具１６０から外れ、灯具本体１１０を天井材３００から取り外すことができる。
【００９４】
取外し部材１１２の一端部１１２ｃは灯具本体１１０の内側に折り曲げられ、その一端部１１２ｃに治具を引っ掛けることが可能になっている。取外し部材１１２の一端部１１２ｃの位置は、カバー１３０の側面に形成された切欠に位置合わせされ、灯具本体１１０の側面に露出している。
【００９５】
取外し部材１１２は金属部材であり、その金属部材はカバー１３０の色（例えば乳白色）と同じまたは近い色に塗装されている。取外し部材１１２は例えば白色に塗装されている。このため、特に非点灯時において、取外し部材１１２の一端部１１２ｃが灯具本体１１０の側面で目立たず、外観の品位を損なわない。
【００９６】
第２実施形態における取付金具１６０に対する嵌合アダプタ１４０の嵌合および取外し機構は、第１実施形態における電源アダプタ５０に対する嵌合アダプタ４０の嵌合および取外し機構にも適用される。
【００９７】
以上説明した第２実施形態によれば、灯具本体１１０の形状およびサイズに合わせた角穴を建材にあけなくてもよく、天井材３００への施工は、灯具本体１１０のサイズよりも小さく、嵌合アダプタ１４０のサイズに合わせた１つの取付穴３００ａをあけるだけでよい。そして、取付穴３００ａに嵌め込まれた取付金具１６０に対して、嵌合アダプタ１４０を嵌め込むことで灯具本体１１０を簡単に天井材３００に取り付けることができる。
【００９８】
灯具側コネクタ１４３は、ケーブルの一端に接続されてぶらぶらしているのではなく、嵌合アダプタ１４０の上面に固定されている。一方で、電源側コネクタ１５１ａは電気ケーブル１５１によって電源ユニット１５０から導出されている。したがって、電源側コネクタ１５１ａを天井材３００の取付穴３００ａおよび取付金具１６０の開口１６４を通して天井材３００の表側における作業者の手元に位置させ、作業者はその電源側コネクタ１５１ａを片手でつかみ、もう一方の手を灯具１００のカバー３０の主面部３１に添えて灯具１００を支えつつ、灯具側コネクタ１４３に電源側コネクタ１５１ａを接続させることができる。灯具側コネクタ１４３自体を手でつかまなくてもよい。そのため、灯具本体１１０の平面サイズが大型化しても、１人の作業者によって、電源ユニット１５０と灯具１００との電気接続、および灯具１００の天井材３００への取り付けを容易に行うことができる。
【００９９】
灯具１００を天井材３００から取り外す際にも、一方の手を灯具１００の主面部３１に添えて灯具１００を支えつつ、前述した取り外し部材１１２の一端を例えば治具を用いてもう片方の手で引っ張ることで嵌合アダプタ１４０の爪部１４４と取付金具１６０との係合が解除され、灯具１００を天井材３００から取り外すことができる。この後、片手で灯具１００を支えた状態を維持しつつ、もう片方の手を取り外し部材１１２から電源側コネクタ１５１ａに移動させて電源側コネクタ１５１ａを引っ張って灯具側コネクタ１４３から引き抜くことができる。すなわち、灯具１００の天井材３００からの取り外し、および電源ユニット１５０と灯具１００との電気接続の解除も１人の作業者によって容易に行うことができる。
【０１００】
このような第２実施形態によれば、多品種の灯具本体１１０を、これらに共通の電源ユニット１５０に対してワンタッチで簡単に接続できるため、手間をかけずに他種の灯具本体１１０への変更が可能となる。この灯具本体１１０の変更に際して、共通の電源ユニット１５０は天井材３００から外す必要がない。
【０１０１】
また、取付金具１６０は環状に形成され、その上方は閉塞されずに開放されている。したがって、電源側コネクタ１５１ａを灯具側コネクタ１４３に接続した後、嵌合アダプタ１４０を取付金具１６０に嵌め込む際に、電気ケーブル１５１をどこかに挟み込んだり、引っ掛かけたりすることなく、取付金具１６０の上方の空間に退避させることができ、取付金具１６０に対する嵌合アダプタ４０の嵌め込み作業が妨げられない。
【０１０２】
次に、第３実施形態として、オフィスビル、工場、または、商業施設などの建築物の建設に際して、第１実施形態で説明された灯具、または、第２実施形態で説明された灯具１００などの［照明灯具］が設置される工程を説明する。そこでまずは、このような建築物の建設における従来の工程を説明する。図２８は、従来の建築物が建設されるまでの工程における照明設置の流れを説明するためのフロー図である。ここでは一般的なオフィスビルのように、複数階の構造を有し、通路と居室を有する建築物を対象とする。オフィスビルのような大規模な建築物の建設では、総合建設業者が建設工事の発注を請負い、種々の業者によって作業される建設工事全体の取りまとめを行う。
【０１０３】
まず、設計士やデザイナーが建築物の設計を行う（ステップＳ１）。この工程において、通路や居室のレイアウトなどが決められ、建築物の全体的なデザインが設計図面に記される。また、採用する建築材料や、照明灯具などの電気設備資材についてもある程度決められ、その配置についても図面に記される。
【０１０４】
次に、決められた設計に基づいて、建築材料や建設機械が用意され、基礎工事が行われる（ステップＳ２）。この工程では、杭工事や土工事により建築物の荷重に耐え得る安定した地盤を確保する。ここでは主に、土木工事を行う業者の作業員が作業を行う。なお、土木工事業者の作業員に限らず、他の業者の作業員も作業を行っている。
【０１０５】
次に、安定した地盤の上に建築物の躯体を形成する躯体工事が行われる（ステップＳ３）。躯体工事としては、基礎部分や地下階を有する場合には地下階など地下の工事から始まり、地上階へと進んでいく。コンクリートの打設、柱の建込み、鉄骨の組み立てなどを行い、建築物全体の骨組みが完成する。また、外壁、屋上、各階の床等にもコンクリートが打設される。
【０１０６】
また、躯体工事では、後の内装工事において吊りボルトを下げるために、インサートが埋め込まれる。例えば、吊りボルトを固定するための天井インサートを、上階の床スラブ（鉄筋コンクリートの床板など）の打設時にスラブの一部として固定する。ここでは主に、土木工事を行う業者の作業員や、とび・土工・コンクリート工事を行う業者の作業員などが作業を行う。次に、建築物の外装工事が行われる（ステップＳ４）。外壁のタイル張りや、窓サッシ、窓ガラス、カーテンウォールなどが取り付けられる。また、塗装なども行われる。
【０１０７】
次に、内装工事が行われる（ステップＳ５）。内装工事では、天井、壁、床を作り上げる。天井を設置する天井工事では、ステップＳ３の躯体工事で設けられた天井インサートから吊りボルトを下げ、軽量鉄骨材を組み合わせた下地に、天井板や天井下地材などの天井面を構成する部材である天井材が取り付けられる。天井材の支持には、吊りボルトやハンガー等の吊り材及び斜め部材などが用いられ、これにより天井板の脱落といった危険防止措置が取られる。
【０１０８】
例えば日本国では、建築基準法や施行令などにより、このような天井脱落を防止するための規定が設けられている。その一つに、既定の条件を満たす天井材を設けるときには吊り材等により固定を行うなどの脱落防止措置を施しておくことが規定されている。照明灯具についても、その大きさや重量などによって、吊り材に固定されずに天井に設置できるものや、吊り材による固定を有するものがある。
【０１０９】
なお、吊りボルトを固定するための天井インサートは、コンクリートの打設の際に設置する代わりに、打設後にコンクリートにアンカーを打ち吊りボルトを固定することも可能ではある。しかし、効率面や安全面を考慮すれば事前に設置される方が好ましく、吊り材が設けられることがわかっている場所については、設計の段階で天井インサートの配置が決められ、コンクリートの打設の際に埋め込まれるのが望ましい。
【０１１０】
また、内装工事では、天井を張る前、つまり天井材による天井の形成が完了する前に、配管や空調のダクトの吊り込みをしておき、電線などを配管内に通す作業も行われる。そのため、天井裏には、電気配線やダクト、空調機器などを設置するために必要な空間が設けられる。またさらに、照明や空調が設置される場所に合わせて天井材に開口が設けられる。ここで、天井内のダクト設置や吊り材による天井材の固定といった作業は、内装工事を行う業者の作業員などが作業を行う。一方で、電気配線を設ける作業は、感電等の危険があるため、電気工事を行うことのできる専門的な作業員によって行われる。
【０１１１】
天井を設置する天井工事の作業者と、天井裏に電気配線を通す配線工事の作業者と、は多くの場合は別人であることが想定される。なお、日本国では、電気工事士の資格を有さない者による配線工事などの電気工事は許可されていない。このように建築物の建設は、種々の専門的な業者から作業員が派遣され、それぞれが専門的な作業を行うことで安全面に配慮している。
【０１１２】
本明細書において、建築物の建設のために天井材を準備して天井工事を行う業者の作業員を天井設置作業者と呼ぶ。また、建築物の建設のために電気配線を準備して配線工事を行う業者の作業員を配線工事作業者と呼ぶ。なお、建築物の建設における各工程の工事は、通常複数の作業者によって行われる。従って、天井設置作業者とは一人の作業者に限らず、建築物の建設において天井工事を行う１以上の作業者を指す。配線工事作業者などについても同様である。
【０１１３】
次に、内装工事を終え、床や壁や天井が出来上がると、設置工事が行われる（ステップＳ６）。設置工事では、建築物を実際に利用する際に必要になる設備が設置される。例えば、電気、ガス、水道、排水、空調、トイレ、防災、放送などのための設備や、照明、エスカレーター、エレベーターなどの設備が配置される。これらの作業は、電気工事、電気通信工事、水道施設工事、消防施設工事、清掃施設工事などの事業者の作業員が行う。
【０１１４】
照明の設置工事においても、照明灯具を電気的に接続する必要があるため電気工事士の資格者による作業を要する。なお、照明が設置される場所は天井に限らないが、天井に設置される照明灯具は、通常であれば電気工事士の資格者によって天井裏に用意された配線に接続され、電気的に接続される。空調の設備工事において天井に空調機器を設置する場合も、電気工事士の資格者によって天井裏に用意された配線に接続される。
【０１１５】
通常では、オフィスビルのような建築物の居室において、天井に配置される大型の照明灯具や空調機器は吊り材によって固定される。従って、このような大型の照明灯具や空調機器の設置工事を行う作業員は、大型の照明灯具や空調機器を天井インサートから吊り下げられた吊り材に固定して天井に設置する作業も行うことになる。
【０１１６】
照明の設置工事に間に合わせるように、照明灯具の製造者は建設に必要な照明灯具を製造し、電気設備資材を管理する電材商社に納品する（ステップＳ７）。また電材商社は、照明灯具に限らず、スイッチ、コンセント、電線、ケーブル、配電盤、アンテナなどの資材や、分電盤、インターホン、火災報知器などの資材の在庫を管理しており、工事に必要な電気設備資材を必要な分だけ供給する（ステップＳ８）。本明細書において、照明灯具を製造し、あるいは照明灯具を納品する業者の従業員を照明灯具供給者と呼ぶ。
【０１１７】
なお、設置工事の工程において、照明の設置工事と、空調の設置工事とは別々に行われる。なお、同時に行うことも、あるいは、同一人が両方の設置工事を行うことも可能だが、作業効率を考慮して分担して作業を進める方が一般的である。このようにして建築物は建設される。
【０１１８】
なお、本明細書において、設置工事の作業者と言う場合は、照明や空調などの設置工事を行う一人以上の作業者を指すものとし、上述したような同一人が照明及び空調の設置工事を行う場合も含み得るものとする。一方で、照明の設置工事の作業者と言う場合は、照明の設置工事を行う一人以上の作業者を指し、かつ、空調の設置工事は行わない作業者を指すものとする。空調の設置工事の作業者と言う場合は、空調の設置工事を行う一人以上の作業者を指し、かつ、照明の設置工事は行わない作業者を指すものとする。
【０１１９】
次に、第３実施形態として、建築物を建設する工程と、この建設において照明灯具２００を設置する工程と、について説明する。ここでの照明灯具２００には、第１実施形態で説明された灯具、または、第２実施形態で説明された灯具１００を用いることができる。第３実施形態に係る建築物２１０は、複数階の構造を有し、通路と居室を有する。なお、一階建ての建築物であってもよい。図２９は、建築物２１０の特定の階における居室の構造の一例を記した模式図である。
【０１２０】
建築物２１０は、床２２０と、壁２２１と、天井２２２と、窓２２３と、により居室空間を形成する。なお、窓２２３が無く側面が壁２２１だけの居室であっても構わない。また、天井には、複数の照明灯具２００と、複数の空調機器２３０とが設置されている。なお、空調機器２３０は一台でもよい。
【０１２１】
ここで、天井に設置される照明灯具や空調機器などの天井設置器具には、吊り材によって直接固定される必要があるものと不要なものとがある。例えば、監視カメラや、ダウンライト、非常用照明、あるいは煙感知器センサーなど、小型の天井設置器具については、吊りボルト等の吊り材や斜め部材に直接接続されることによって固定されずに設置される。このような小型の天井設置器具は、天井材に掛かる荷重が小さいため吊り材を要さずに設置することが認められる。以下、このような天井設置器具は、吊り材による固定を要さない天井設置器具という。
【０１２２】
一方で、天井面設置型のベース照明や、天井埋込型のベース照明、あるいは空調機器２３０などは、吊り材に直接繋がれることによって固定されて設置される。このような天井設置器具は、天井材に掛かる荷重が大きいため、吊り材で固定されていないと、例えば地震が起こった場合に脱落する危険性が高くなる。よって、天井材に全ての荷重を掛けるような設置構造とはせずに、天井設置器具そのものを吊り材で支えるようにする。以下、このような天井設置器具は、吊り材による固定を要する天井設置器具という。
【０１２３】
例えば、オフィスビルのような建築物の場合、通路などの狭い空間における照明にはダウンライトなどの小型の天井設置器具が設けられ、居室などの広い空間ではベース照明などの大型の照明灯具が設けられることが考えられる。居室の一部に小型の照明灯具が設けられることはあり得るが、居室全体に設置される照明灯具の設置数で見ると、大多数は大型の照明灯具である。
【０１２４】
本実施形態に係る照明灯具２００は、照明灯具の性能としてはベース照明に相当する性能を有しており、かつ、照明の設置工事においては吊り材による固定を要さない照明灯具とすることができる。つまり、照明灯具２００は、ベース照明相当として取り扱えるほど大型でありながら、吊り材を要さないほど軽量である、軽量大型照明灯具である。
【０１２５】
ここで、本明細書における軽量大型照明灯具とは、全光束が２５００ｌｍ以上であるか、床に最も近い面である発光面の面積が４５０００ｍｍ２以上であるか、光源素子が１００個以上配されているか、の少なくとも一を満たす照明灯具を指すものとする。またあるいは、これに加えて、重量が０．５ｋｇ以上から２．５ｋｇ未満であるという条件により、軽量大型照明灯具の特性をさらに特定してもよい。
【０１２６】
次に、建築物２１０の建設において照明灯具２００が設置されるまでの工程を説明する。なお、図２８を利用して既に説明した建築物が建設されるまでの工程と異なる点を詳細に説明し、重複する点については説明を簡易的にするか、あるいは省略する。
【０１２７】
照明灯具２００は、吊り材２７０により固定される必要がないため、ステップＳ１において、設計士やデザイナーは、照明灯具２００の設置位置に合わせて吊り材の配置位置を決定しておく必要はない。また、天井インサートが設けられ、吊り材２７０の配置位置が確定した後に、従来の吊り材による固定を要するベース照明の配置位置を変更する場合は、新たに吊りボルトを設置する必要がある一方で、照明灯具２００の場合はその必要がない。従って、設計士やデザイナーは、工事がある程度進んだ後でも、照明灯具２００の設置場所を柔軟に変更することができる。
【０１２８】
ステップＳ２〜ステップＳ４までの工程については、既にした説明と概ね同様である。次に、ステップＳ５の内装工事では、天井を設ける天井工事が行われる。また、天井を張る前に、あるいは、天井を張った後に、天井裏に配される配線が天井よりも高い位置に通される。図３０は、天井工事が行われた状態の天井裏の一例を示している。
【０１２９】
図３０にあるように、天井裏は、コンクリートが打設された躯体２２４によって上面と側面が、天井材３００が配された天井２２２によって下面が形成された空間を有している。また、天井２２２を形成する各天井材３００は、躯体２２４の天井インサートに繋がれた吊り材２７０によって固定され、支えられている。なお、図が煩雑になるため、図３０では吊り材２７０の表示を一部省略している。天井裏の空間には、配管を通って設けられた配線２４０及び配線２４１がある。この配線は、設計図面に基づき、天井裏に設置される照明や空調などの電気接続機器の設置台数に応じて設けられる。電気接続機器への電源供給に十分な数の配線が用意された上で、天井２２２は設けられる。
【０１３０】
ここで、天井裏に配線を通す作業は、電気工事士の資格を有する配線工事作業者によって行われる。また、この作業において、照明灯具２００に接続される予定の配線２４０については、電気工事士の資格を有する配線工事作業者によってコネクタが設けられる。コネクタは、電気接続機器を電気的に接続するための電気接続機器と配線２４０との接続作業において感電を防止するための、感電防止接続器具の一例である。
【０１３１】
コネクタ等の感電防止接続器具を有していれば、照明灯具２００に配線２４０を接続する作業は、電気工事士の資格を有する者でなくても行うことができる。図３０の例では、照明灯具２００に接続する予定の配線２４０についてはコネクタが設けられる一方で、空調機器２３０に接続される予定の配線２４１についてはコネクタ等の感電防止接続器具は設けられていない。従って、出願時点の日本国の法令に遵守すると、空調機器２３０に配線２４１を接続する作業は、電気工事士の資格を有する者によって行われる必要がある。なお、図が煩雑になるため、図３０では配線２４０の表示を一部省略している。
【０１３２】
このように、天井裏に配される配線を設ける作業において、天井裏に配される複数の配線のうち、天井への設置に際して吊り材による固定を有さない照明灯具２００と電気的に接続するための配線として、コネクタなどの感電防止接続器具を付した配線２４０を設ける作業が行われる。
【０１３３】
また、空調機器２３０は吊り材によって固定されるため、空調機器２３０を固定するための吊り材として、吊り材２７１が設けられている。図３０の時点では、まだ空調機器２３０は取り付けられていないため、吊り材２７１は空調機器２３０を固定していない。
【０１３４】
天井材３００には、空調機器２３０や照明灯具２００など、天井設置器具を設置するために開口が設けられている。図３０に示される四角の開口は、空調機器２３０のための開口である。また、円形の開口は、照明灯具２００のための取付穴３００ａである。図３０の例では、６×３の計１８枚の天井材３００のうち、２枚の天井材３００のそれぞれに空調機器２３０を設置するための開口が、１２枚の天井材３００のそれぞれに照明灯具２００を設置するための開口が設けられている。
【０１３５】
図３０に示されるように、照明灯具２００を設置するために設けられる取付穴３００ａは天井材３００に比べて小さい。また、照明灯具２００の発光面と比べても十分に小さい開口である。この点については、ダウンライトや非常用照明は対照的に、その照明灯具の大きさと同等の開口を有している。照明灯具２００では、発光面の面積に対して取付穴３００ａを１／３以下とすることができる。またあるいは、１／５以下とすることができる。またあるいは、１／１０以下とすることができる。
【０１３６】
照明灯具２００を設置するための取付穴３００ａは、例えば、直径１０ｃｍ〜１５ｃｍの円形で形成される。また、取付穴３００ａの形状は円形でなくてもよく、最大径が１５ｃｍ以下の多角形であってもよい。また、電源アダプタ２５０等の大きさや形状に基づいて決定されればよい。なお、照明灯具２００の取り付けのために、居室側から配線２４０を手に取ることが出来るように、取付穴３００ａは作業員の腕が通せるだけの大きさを確保するのが好ましい。
【０１３７】
なお、天井材３００は予め開口が設けられたものである必要はない。開口の無い状態の天井材３００を用意し、内装工事を行う現場で作業員が天井材３００に穴を空けて開口を設ける方が一般的である。開口のない天井材３００に対し、適宜開口を設ける作業を行えばよい。どのような天井設置器具を設置するかによって用意すべき開口の形状も異なり得る。よって、開口は、天井材３００を吊り材２７０で固定して天井に取り付けるときに設ければよく、あるいは、天井を形成した後で設けてもよい。
【０１３８】
このようにして天井２２２が設けられた上で、ステップＳ６の設備工事において、照明の設置工事が行われる。図３１及び図３２は、コネクタ付き配線２４０、天井材３００、電源アダプタ２５０、及び、照明灯具２００の接続関係を表す図である。なお、照明の設置作業は、電気工事士の資格を有さない者であっても作業を行うことができる。
【０１３９】
なお、建築物２１０に天井２２２が設けられた時点で、図２９で示した居室を形成する空間である居室空間と、図３０で示した天井裏を形成する空間である天井裏空間と、は区別された空間として扱うことができる。ここで、天井材３００の開口の有無については考慮しない。具体的には、建築物２１０において開口を有さない天井材３００により天井２２２が形成された場合に、空間を形成する一部分として天井２２２を有する空間であって天井２２２の上方にある空間を天井裏空間、空間を形成する一部分として天井２２２を有する空間であって天井２２２の下方にある空間を居室空間として区別する。
【０１４０】
まず、居室空間に存在する作業員によって居室空間内に照明灯具２００と電源アダプタ２５０とが準備される。照明灯具２００は、居室空間に存在する作業員が、照明灯具２００の取付アダプタ２１１を電源アダプタ２５０に嵌め込むことで、電源アダプタ２５０に接続される。また、電源アダプタ２５０のＤＣハーネス２８０と接続することで、照明灯具２００は電源アダプタ２５０からのＤＣ電源の電力供給を受ける。例えば、１００Ｖの直流電圧が供給される。ＤＣハーネス２８０との接続についても、電気工事士の資格を有していない作業員が行うことができる。なお、嵌合アダプタ４０及び１４０は、取付アダプタ２１１の一形態に相当する。また、電源アダプタ５０は、電源アダプタ２５０の一形態に相当する。また、ＤＣケーブル５６は、ＤＣハーネス２８０の一形態に相当する。
【０１４１】
なお、配線２４０を介してＡＣ電源が供給されるため、電源アダプタ２５０はＡＣ／ＤＣ変換機能を有している。また、電源アダプタ２５０は、コネクタ付き配線２４０とコネクタを介して電気的に接続するための接続部としてのＡＣ端子台２６０を有する。居室空間に存在する作業員は、開口に腕を通し、開口から天井裏空間に設けられたコネクタ付き配線２４０を引っ張って、居室空間内に引き込む。そして、居室空間においてコネクタ付き配線２４０のコネクタとＡＣ端子台２６０とを接続する。なお、ＡＣ入力端子台５４は、ＡＣ端子台２６０の一形態に相当する。
【０１４２】
なお、照明灯具２００が発光の強度や色調を調節する調光機能を有する場合に備えて、電源アダプタ２５０は調光の制御を行う調光ドライバ装置と接続するための接続部としての調光端子台２６２を有する。調光機能を有さない照明灯具２００を使用する場合には、調光端子台２６２は不要である。
【０１４３】
このように、天井材３００に設けられた開口を介して、形成された天井２２２の上方にある天井裏空間に配されたコネクタ付き配線２４０と、電源アダプタ２５０とを、コネクタ付き配線のコネクタによって接続する作業が行われる。また、形成された天井２２２の下方にある居室空間において用意された照明灯具２００と、電源アダプタ２５０と、を電気的に接続する作業が行われる。
【０１４４】
また、電源アダプタ２５０は、留め具２９０を有しており、居室空間に存在する作業員が、この留め具２９０によって電源アダプタ２５０を天井材３００に設置する。留め具２９０はバネ性（弾性）を有しており、これを天井面側（居室空間側）から天井材３００の開口に通して貫通させる。貫通した後は、留め具２９０が天井材３００の天井裏面に掛かり、従って荷重が天井材３００に掛かるようになる。天井２２２に照明灯具２００が取り付けられると、１の照明灯具２００及び１の電源アダプタ２５０の荷重は、１の天井材３００に掛かることとなる。なお、取付ばね５３は、留め具２９０の一形態に相当する。また、留め具２９０は、バネ性を有する構造に限らず、天井材３００に荷重が掛かる構造であればよい。
【０１４５】
なお、コネクタ付き配線２４０と電源アダプタ２５０を接続する作業と、電源アダプタ２５０と照明灯具２００とを接続する作業と、はいずれが先であってもよい。また、電源アダプタ２５０を天井材３００に取り付ける作業は、照明灯具２００が電源アダプタ２５０に接続する前でも、接続した後であってもよい。
【０１４６】
第１実施形態において説明した灯具の取り付ける方法は、電源アダプタ５０を天井材３００に取り付けてから、照明灯具２００の嵌合アダプタ４０を電源アダプタ５０に取り付ける方法である。つまり、電源アダプタ２５０と照明灯具２００とを接続する前に、コネクタ付き配線２４０と電源アダプタ２５０を接続し、かつ、電源アダプタ２５０を天井材３００に取り付ける方法を詳細に説明した具体例である。
【０１４７】
また、図３３に示すように、電源アダプタ２５０の留め具２９０が天井材３００の開口に取り付けられる代わりに、電源アダプタ２５１が天井裏に配置され、照明灯具２００の留め具２９１が天井材３００の開口に取り付けられるようにしてもよい。なお、電源ユニット１５０は、電源アダプタ２５１の一形態に相当する。
【０１４８】
この場合、居室空間に存在する作業員が、開口に腕を通し、開口から天井裏空間に設けられたコネクタ付き配線２４０を引っ張り居室空間内に引き込む。そして、居室空間においてコネクタ付き配線２４０のコネクタと電源アダプタ２５１のＡＣ端子台とを接続する。なお、端子台１５２または１５３は、ＡＣ端子台の一形態に相当する。
【０１４９】
そして、居室空間に存在する作業員は、コネクタ付き配線２４０と接続した電源アダプタ２５１を、接続するコネクタ付き配線２４０が通った開口を介して天井裏に配置する。コネクタ付き配線２４０も天井裏に戻り、開口からは電源アダプタ２５１のＤＣハーネス２８１が居室空間に飛び出す形となる。照明灯具２００は、ＤＣハーネス２８１と接続し、電源の供給を受ける。なお、電気ケーブル１５１は、ＤＣハーネス２８１の一形態に相当する。また、照明灯具２００は、電源アダプタ２５１に代えて留め具２９１を有し、留め具２９１を開口に通して天井材３００の天井裏に掛けることで、天井２２２に取り付けられる。
【０１５０】
このように、コネクタ付き配線２４０と電気的に接続された電源アダプタ２５０が有する留め具２９０を天井材３００の開口に通して、照明灯具２００を天井材３００に設置する作業が行われる。または、コネクタ付き配線２４０と電気的に接続された照明灯具２００が有する留め具２９１を天井材３００の開口に通して、照明灯具２００を天井材３００に設置する作業が行われる。
【０１５１】
また、コネクタ付き配線２４０と、電源アダプタ２５１とを、コネクタ付き配線２４０のコネクタにより接続し、コネクタ付き配線２４０と電気的に接続された電源アダプタ２５１を天井裏空間に配置する作業が行われ、照明灯具２００を天井材３００に設置する作業が行われる。
【０１５２】
なお、第２実施形態で説明したように、留め具としての取付ばね１６３を有する取付金具１６０を介して、照明灯具２００を天井材３００に取り付けるようにしてもよい。この場合、コネクタ付き配線２４０と電気的に接続された電源アダプタ２５１を天井裏空間に配置する作業を行った後に、取付金具１６０が留め具により天井材３００に設置される。
【０１５３】
また、天井裏空間に配置された電源アダプタ２５１のＤＣハーネス２８１を、取付金具１６０の開口１６４を通して居室空間に引き込み、居室空間においてＤＣハーネス２８１を照明灯具２００に接続することで、電源アダプタ２５１と照明灯具２００とが電気的に接続される。また、電源アダプタ２５１と電気的に接続することで、照明灯具２００はコネクタ付き配線２４０と電気的に接続する。
【０１５４】
また、電源アダプタ２５１と照明灯具２００とが電気的に接続された状態で、照明灯具２００を取付金具１６０に設置する。取付アダプタ２１１としての嵌合アダプタ１４０の爪部１４４は、照明灯具２００を取付金具１６０に設置するための留め具に相当する。つまり、天井材３００への設置には取付金具１６０の留め具が用いられ、取付金具１６０への設置には照明灯具２００の留め具が用いられる。
【０１５５】
このように、照明灯具２００の留め具を取付金具１６０の開口１６４に通して、取付金具１６０を介した照明灯具２００の天井材３００への設置作業が行われる。取付金具１６０は照明灯具２００の天井材３００への設置を補助する取付補助部材の一形態と言える。取付補助部材は、例えば、取付金具１６０と同様の形状及び構造を有し、かつ、金属以外の材料で形成されたものであってもよい。
【０１５６】
なお、電源アダプタ２５１は、自ら通った開口の付近で、その開口を有する天井材３００の天井裏に配置される。従って、１の照明灯具２００を１の天井材３００に取り付ける場合、その照明灯具２００に接続する１の電源アダプタ２５１が、その１の天井材３００に配置される。従って、第一実施形態と変わらず、１の電源アダプタ２５１及び１の照明灯具２００が、１の天井材３００に掛かる荷重となる。
【０１５７】
なお、電源アダプタ２５１は、照明灯具２００が取り付けられない天井材３００に配置されるようにしてもよい。図３３の例では、開口を有していない天井材３００に配置されるように、電源アダプタ２５１を移動してもよい。こうすることで、１の天井材３００に掛かる荷重を軽減することができる。例えば、図３３で２枚の天井材３００にそれぞれ配置されている計２つの電源アダプタ２５１を、開口を有していない１の天井材に配置してもよい。但し、天井材３００までの距離が腕を伸ばしても届かないくらいに遠いと、電源アダプタ２５１を配置する作業は困難あるいは面倒になることも考えられる。
【０１５８】
このように、照明灯具２００の設置工事は、吊り材２７０による固定を有さないため、天井裏にあるコネクタ付き配線２４０を居室空間に引っ張り出せるだけの開口が設けられていればよい。言い換えると、照明灯具２００を天井２２２に設置する作業をするには、腕が通せるサイズの開口があればよい。一方で、吊り材２７０で固定する作業が必要な照明灯具になると、腕が通る程度の大きさの開口だけを利用して、居室空間側から照明灯具を取り付けることは困難な作業になる。
【０１５９】
また、照明灯具２００の設置工事前に、予めコネクタ付き配線２４０を天井裏に用意しておくことで、電気工事士の資格を有する者でなくても照明灯具２００と天井裏の配線とを電気的に接続する作業を行うことができる。従って、天井材３００に穴を空けて天井の一部として設置する作業員が、そのまま照明灯具２００の設置作業を行うことも可能となる。
【０１６０】
このことはつまり、建築物２１０の建設において、照明灯具供給者が電材商社に照明灯具２００を供給する代わりに天井設置作業者に供給し、天井設置作業者が照明灯具２００の天井工事を行うことができるということである。
【０１６１】
以上、具体例を参照しつつ、本発明の実施形態について説明した。しかし、本発明は、これらの具体例に限定されるものではない。本発明の上述した実施形態を基にして、当業者が適宜設計変更して実施し得る全ての形態も、本発明の要旨を包含する限り、本発明の範囲に属する。その他、本発明の思想の範疇において、当業者であれば、各種の変更例及び修正例に想到し得るものであり、それら変更例及び修正例についても本発明の範囲に属するものと了解される。
【符号の説明】
【０１６２】
１０…灯具本体、１５…板ばね、１６…ネジ、２０…光源モジュール、２２…光源、３０…カバー、４０…嵌合アダプタ、４２ａ…爪部、５０…電源アダプタ、５１…筒状部、５２…電源ユニット、１１０…灯具本体、１３０…カバー、１４０…嵌合アダプタ、１５０…電源ユニット、１６０…取付金具、１８１…凸部、２００…照明用具、２１１…取付アダプタ、２５０,２５１…電源アダプタ
【図１】
2020107599.tif 000003
【図２】
2020107599.tif 000004
【図３】
2020107599.tif 000005
【図４】
2020107599.tif 000006
【図５】
2020107599.tif 000007
【図６】
2020107599.tif 000008
【図７】
2020107599.tif 000009
【図８】
2020107599.tif 000010
【図９】
2020107599.tif 000011
【図１０】
2020107599.tif 000012
【図１１】
2020107599.tif 000013
【図１２】
2020107599.tif 000014
【図１３】
2020107599.tif 000015
【図１４】
2020107599.tif 000016
【図１５】
2020107599.tif 000017
【図１６】
2020107599.tif 000018
【図１７】
2020107599.tif 000019
【図１８】
2020107599.tif 000020
【図１９】
2020107599.tif 000021
【図２０】
2020107599.tif 000022
【図２１】
2020107599.tif 000023
【図２２】
2020107599.tif 000024
【図２３】
2020107599.tif 000025
【図２４】
2020107599.tif 000026
【図２５】
2020107599.tif 000027
【図２６】
2020107599.tif 000028
【図２７】
2020107599.tif 000029
【図２８】
2020107599.tif 000030
【図２９】
2020107599.tif 000031
【図３０】
2020107599.tif 000032
【図３１】
2020107599.tif 000033
【図３２】
2020107599.tif 000034
【図３３】
2020107599.tif 000035